(57)【要約】【課題】環境温度の変動があっても、収差を適切に抑制できる光ピックアップ装置を提供する。【解決手段】光軸方向に可動して対物レンズ１７へと至る光の収束或いは発散状態を調整する可動レンズ１５は、環境温度に対応して位置が調整される。また、対物レンズ１７は、可動レンズ１５から対物レンズ１７へと至る光の光軸に対して傾斜して配置される。可動レンズ１５が移動することによって発生量が変動する第１のコマ収差と、環境温度の変化に伴って光ディスク７０の反り状態が変化することによって発生量が変動する第２のコマ収差と、の発生方向はいずれも光ディスク７０の半径方向であり、環境温度変化に対するコマ収差の発生量の増減方向が第１のコマ収差と第２のコマ収差とで逆となるように対物レンズ１７の傾斜方向が調整されている。【選択図】図２
2010092535.tif 000002
【特許請求の範囲】
【請求項１】
光源と、
前記光源から出射される光を光ディスクの情報記録面に集光する対物レンズと、
前記光源と前記対物レンズとの間の光路中に配置され、光軸方向に可動して前記対物レンズへと至る光の収束或いは発散状態を調整する可動レンズと、
前記可動レンズの位置を調整するレンズ位置調整手段と、
環境温度を検出する温度検出手段と、を備え、
前記レンズ位置調整手段は、前記環境温度に対応して前記可動レンズの位置を調整し、
前記対物レンズは、前記可動レンズから前記対物レンズへと至る光の光軸に対して傾斜して配置され、
前記可動レンズが移動することによって発生量が変動する第１のコマ収差と、前記環境温度の変化に伴って前記光ディスクの反り状態が変化することによって発生量が変動する第２のコマ収差と、の発生方向はいずれも前記光ディスクの半径方向であり、
前記環境温度変化に対するコマ収差の発生量の増減方向が前記第１のコマ収差と前記第２のコマ収差とで逆となるように、前記対物レンズの傾斜方向が調整されていることを特徴とする光ピックアップ装置。
【請求項２】
前記対物レンズは、前記半径方向に傾斜され、更に、使用環境温度範囲のいずれの温度においても前記第１のコマ収差と前記第２のコマ収差とを加算して得られる第３のコマ収差の発生量が所定の許容値を超えないように傾斜調整されていることを特徴とする請求項１に記載の光ピックアップ装置。
【請求項３】
前記対物レンズが樹脂レンズであることを特徴とする請求項１又は２に記載の光ピックアップ装置。
【請求項４】
前記可動レンズがコリメートレンズあることを特徴とする請求項１から３のいずれかに記載の光ピックアップ装置。
【発明の詳細な説明】
【技術分野】
【０００１】
本発明は、光ディスクから情報を読み取ったり、光ディスクに情報を書き込んだりする際に用いられる光ピックアップ装置に関する。詳細には、光源からの光を光ディスクの情報記録面に集光する対物レンズが樹脂からなる光ピックアップ装置に対して好適な技術に関する。
【背景技術】
【０００２】
従来、ブルーレイディスク（ＢＤ）等の光ディスクに記録される情報の読み取りや光ディスクへの情報の書き込みは、光ピックアップ装置を用いて行われる。光ピックアップ装置には、光源からの光を光ディスクの情報記録面に集光する対物レンズが備えられる。従来、この対物レンズについて、例えば光ピックアップ装置のコストを低減する等の目的で、ガラスレンズではなく樹脂レンズを用いることがある（例えば、特許文献１参照）。
【０００３】
樹脂レンズは環境温度の変化に対して影響を受け易く、光ピックアップ装置が備える対物レンズを樹脂レンズとすると、環境温度の変化に伴って発生する球面収差の影響が問題となる場合がある。なお、この球面収差の影響は、特に高ＮＡの対物レンズを使用するＢＤ対応の光ピックアップ装置で問題となりやすい。
【０００４】
また、環境変動（温度変化等）によって、光ディスクの反り状態が変動すると従来言われている（例えば、特許文献２、３参照）。光ディスクに反りが存在すると、光ピックアップ装置においてコマ収差の影響が問題となる。そして、環境変動によって光ディスクの反り状態が変動すると、発生するコマ収差の量も変動するために、光ピックアップ装置において、いかにコマ収差の影響を抑制するかが問題となる。
【０００５】
すなわち、光ピックアップ装置においては、環境温度の変化によって発生する収差を適切に抑制することが要求されている。
【特許文献１】特開２００３−２８７６７５号公報
【特許文献２】特開平７−２８２４５３号公報
【特許文献３】特開２００７−２９４０２３号公報
【発明の開示】
【発明が解決しようとする課題】
【０００６】
そこで、本発明の目的は、環境温度の変化があっても収差を適切に抑制できる光ピックアップ装置を提供することである。特に、光源からの光を光ディスクの情報記録面に集光する対物レンズを樹脂レンズとした光ピックアップ装置に対して好適な技術を提供することを目的とする。
【課題を解決するための手段】
【０００７】
上記目的を達成するために本発明の光ピックアップ装置は、光源と、前記光源から出射される光を光ディスクの情報記録面に集光する対物レンズと、前記光源と前記対物レンズとの間の光路中に配置され、光軸方向に可動して前記対物レンズへと至る光の収束或いは発散状態を調整する可動レンズと、前記可動レンズの位置を調整するレンズ位置調整手段と、環境温度を検出する温度検出手段と、を備え、前記レンズ位置調整手段は、前記環境温度に対応して前記可動レンズの位置を調整し、前記対物レンズは、前記可動レンズから前記対物レンズへと至る光の光軸に対して傾斜して配置され、前記可動レンズが移動することによって発生量が変動する第１のコマ収差と、前記環境温度の変化に伴って前記光ディスクの反り状態が変化することによって発生量が変動する第２のコマ収差と、の発生方向はいずれも前記光ディスクの半径方向であり、前記環境温度変化に対するコマ収差の発生量の増減方向が前記第１のコマ収差と前記第２のコマ収差とで逆となるように、前記対物レンズの傾斜方向が調整されていることを特徴としている。
【０００８】
本構成において、可動レンズの移動は環境温度の変化に対応して行われる。このため、可動レンズが移動することによって発生量が変動する第１のコマ収差は、環境温度変化によって発生量が変動すると言える。そして、環境温度変化によって発生量が変動する第１のコマ収差と第２のコマ収差とは発生方向がいずれも半径方向であるが、環境温度変化に対する発生量の増減方向が逆となっている。このために、使用環境温度範囲の全域又はほぼ全域で第１のコマ収差と第２のコマ収差とがほぼ打ち消し合う構成とでき、両者を加算したコマ収差を低レベルとできる。また、対物レンズへの入射光の収束或いは発散状態を調整する可動レンズを環境温度変化に対応して移動する構成であるために、環境温度変化に伴って生じる球面収差を適切に抑制できる。すなわち、本構成によれば、環境温度が変化することで発生する球面収差及びコマ収差を適切に抑制可能である。
【０００９】
上記構成の光ピックアップ装置において、前記対物レンズは、前記半径方向に傾斜され、更に、使用環境温度範囲のいずれの環境温度においても前記第１のコマ収差と前記第２のコマ収差とを加算して得られる第３のコマ収差の発生量が所定の許容値を超えないように傾斜調整されているのが好ましい。所定の許容値は、光ピックアップ装置における情報の読み取り品質（再生品質）が許容範囲内で維持されるように決めれば良い。そうすることにより、本構成の光ピックアップ装置は、環境温度変化があっても安定した再生を行うことが可能となる。
【００１０】
上記構成の光ピックアップ装置は、前記対物レンズが樹脂レンズである場合に好適な構成である。樹脂レンズでは環境温度の変化によって発生する球面収差の影響が問題となるが、上述のように本構成の光ピックアップ装置では、このような球面収差の影響を適切に補正できる。
【００１１】
上記構成の光ピックアップ装置において、前記可動レンズはコリメートレンズであるのが好ましい。対物レンズに至る光の収束或いは発散状態を調整して球面収差の補正を行う手段として、例えばビームエキスパンダを用いる手法もある。ビームエキスパンダには、通常少なくとも１つの可動レンズが備えられる。このため、本発明の可動レンズをビームエキスパンダが備える可動レンズとすることも可能である。しかし、本構成のように、可動レンズをコリメートレンズとした方が、光ピックアップ装置が備える光学系の部品点数を少なくできるので好ましい。
【発明の効果】
【００１２】
本発明によれば、環境温度の変化があっても収差を適切に抑制できる光ピックアップ装置を提供できる。本発明は、環境温度の変化によって影響を受け易い樹脂レンズを、光源からの光を光ディスクの情報記録面に集光する対物レンズとして使用する光ピックアップ装置に好適である。
【発明を実施するための最良の形態】
【００１３】
以下、本発明の光ピックアップ装置の実施形態について、図面を参照しながら説明する。
【００１４】
まず、本実施形態の光ピックアップ装置の概略構成について、図１〜図４を参照しながら説明する。図１は、本実施形態の光ピックアップ装置の構成を示す概略平面図である。図２は、本実施形態の光ピックアップ装置が備える光学系の構成を説明するための概略図である。図３は、本実施形態の光ピックアップ装置が備えるコリメートレンズ位置調整機構の構成を示す概略平面図である。図４は、本実施形態の光ピックアップ装置が備える対物レンズアクチュエータの構成を説明するための図で、図４（ａ）は対物レンズアクチュエータの全体構成を示す概略斜視図、図４（ｂ）は対物レンズアクチュエータが備えるコイルの構成を示す概略斜視図である。
【００１５】
図１に示すように、本実施形態の光ピックアップ装置１はスライドベース２を備える。このスライドベース２には、２種類の軸受け部２ａ、２ｂが設けられる。スライドベース２が、軸受け部２ａ、２ｂを用いて光ディスク（図示せず）の半径方向に延びる２本のガイドシャフト７１に摺動可能に支持されることにより、光ピックアップ装置１は半径方向に移動可能となる。なお、スライドベース２の移動は、図示しない公知の移動機構によって行われる。公知の移動機構の一例として、スライドベース２に取り付けられラックと、モータによって回転されるピニオンと、を用いる構成が挙げられる。
【００１６】
スライドベース２には、図２に示すような光学系が搭載されている。すなわち、スライドベース２上には、光源１１と、回折素子１２と、偏光ビームスプリッタ１３と、１／４波長板１４と、コリメートレンズ１５と、立上げミラー１６と、対物レンズ１７と、シリンドリカルレンズ１８と、光検出器１９と、が搭載される。なお、対物レンズ１７は、対物レンズアクチュエータ３に搭載された状態でスライドベース２上に搭載される。
【００１７】
光源１１は半導体レーザから成り、光ピックアップ装置１がＢＤに対応する構成であるために、４０５ｎｍ帯のレーザ光を出射する。回折素子１２は、光源１１から出射されたレーザ光を主光と２つの副光とに分ける。このように光源１１からの光を３つ光に分けるのは、サーボ制御を行う上で必要となる信号を得るためである。
【００１８】
偏光ビームスプリッタ１３は、１／４波長板１４と協働して光アイソレータの役目を果たす。すなわち、偏光ビームスプリッタ１３は、光源１１からのレーザ光については反射して光ディスク７０側へと導くが、光ディスク７０によって反射された戻り光については透過して光検出器１９側へと導く。
【００１９】
コリメートレンズ１５は、入射するレーザ光を平行光へと変換するレンズである。ただし、光ピックアップ装置１においては、コリメートレンズ１５は光軸方向（図２の左右を指す矢印の方向）に移動可能となっている。このため、光源１１から出射されてコリメートレンズ１５を出射するレーザ光は必ずしも平行光でなく、収束光であったり発散光であったりする。このようにコリメートレンズ１５の位置を調整可能とするのは、コリメートレンズ１５の位置を移動することによって対物レンズ１７に入射するレーザ光の収束状態或いは発散状態を調整して球面収差を抑制するためである。なお、コリメートレンズ１５は、本発明の可動レンズの実施例である。
【００２０】
コリメートレンズ１５の位置調整を行う手段としては、コリメートレンズ１５の光軸方向の位置調整ができれば、その構成は特に限定されるものではない。例えば、図３に示すようなコリメートレンズ位置調整機構６を用いてコリメートレンズ１５の位置調整を行うことができる。なお、コリメートレンズ位置調整機構６はスライドベース６上に配置される。また、コリメートレンズ位置調整機構６は、本発明のレンズ位置調整手段の実施例である。
【００２１】
図３を参照して、コリメートレンズ位置調整機構６は、コリメートレンズ１５を保持し、移動可能に設けられる可動ホルダ６１と、可動ホルダ６１が光軸方向に移動するようにガイドする２本のガイドシャフト６２と、可動ホルダ６１に取り付けられたリードナット６３に噛合するリードスクリュ６４と、リードスクリュ６４を回転するステッピングモータ６５と、を備える。なお、図示しないが基準位置を定められるようにフォトインタラプタも備えられている。このように構成することにより、ステッピングモータ６５でリードスクリュ６４を回転することによって、コリメータレンズ１５を可動ホルダ６１と共に光軸方向に移動できる。そして、ステッピングモータ６５のステップ数によってコリメートレンズ１５の位置を調整できる。
【００２２】
図２に戻って、立上げミラー１６はコリメートレンズ１５から送られてきたレーザ光を反射する。これにより、光源１１から出射されたレーザ光は、その進行方向が曲げられ、光ディスク７０の情報記録面７０ａと直交する方向に進行する光となる。
【００２３】
対物レンズ１７は、立上げミラー１６から送られてきたレーザ光を光ディスク７０の情報記録面７０ａに集光する。上述のように対物レンズ１７は対物レンズアクチュエータ３に搭載されている。そして、この対物レンズアクチュエータ３によって、対物レンズ１７は、光ディスク７０に接離する方向（図２の上下方向）であるフォーカス方向と、光ディスク７０の半径方向と平行な方向（図２では紙面に対して垂直な方向）であるトラック方向と、に移動可能となっている。
【００２４】
図４を参照して、光ピックアップ装置１が備える対物レンズアクチュエータ３の構成について説明する。対物レンズアクチュエータ３は、アクトベース３１と、対物レンズ１７を保持するレンズホルダ３２と、を備える。アクトベース３１上には、レンズホルダ３２を挟んで対称配置となるように一対の永久磁石３３が立設されている。
【００２５】
レンズホルダ３２には、片側に３本ずつ、両側で計６本となるワイヤ３４の各一端が固定されている。各ワイヤ３４の他端は、アクトベース３１上に立設される回路基板３５に固定され、これにより、レンズホルダ３２はワイヤ３４によって揺動可能に支持された状態となっている。
【００２６】
また、レンズホルダ３２には、レンズホルダ３２の内部側壁に沿って対物レンズ１７の光軸を取り巻くように配置されるフォーカスコイル３２１と、レンズホルダ３２の外部側壁（永久磁石３３と対向する側壁）の対称位置に、それぞれ２つずつ配置される４つのトラックコイル３２２と、が取り付けられている。これらのコイル３２１、３２２には、ワイヤ３４を介して電流が供給されるようになっている。
【００２７】
フォーカスコイル３２１に電流が流れると、永久磁石３３によって作られる磁界との電磁気的な作用によって、電流が流れる向き及び電流の大きさに応じて、対物レンズ１７はレンズホルダ３２と共にフォーカス方向Ｆに移動する。同様に、トラックコイル３２２に電流が流れると、その向き及び大きさに応じて、対物レンズ１７はレンズホルダ３２と共にトラック方向Ｔに移動する。
【００２８】
再び図２に戻って、情報記録層７０ａで反射された戻り光は、対物レンズ１７、立上げミラー１６、コリメートレンズ１５、１／４波長板１４、偏光ビームスプリッタ１３の順に通過して、シリンドリカルレンズ１８へと送られる。シリンドリカルレンズ１８は、入射したレーザ光に非点収差を与える。なお、シリンドリカルレンズ１８によって非点収差を与えるのは、サーボ制御を行う上で必要となる信号を得るためである。
【００２９】
シリンドリカルレンズ１８によって非点収差を与えられたレーザ光は光検出器１９の受光領域に集光する。光検出器１９は、受光領域で受光した光信号を電気信号に変化して出力する。光検出器１９から出力された電気信号は信号処理部２０で処理され、再生信号、フォーカスエラー信号、トラックエラー信号等が生成される。
【００３０】
制御部２１は、信号処理部２０からフォーカスエラー信号及びトラックエラー信号を受け取って、これらの信号に基づいて対物レンズアクチュエータ３を制御してフォーカス制御及びトラック制御といったサーボ制御を行う。ここで、フォーカス制御とは、対物レンズ１７の焦点位置が常に情報記録面７０ａに合うように行う制御のことである。また、トラック制御とは、対物レンズ１７に入射した光が集光されてできる光スポットが光ディスク７０に形成されるトラックに常に追随するように行う制御のことである。
【００３１】
また、制御部２１は、サーミスタ５（図１参照）からの環境温度情報に基づいて、コリメートレンズ位置調整機構６を用いたコリメートレンズ１５の位置調整を行う。本実施形態の光ピックアップ装置１では対物レンズ１７を樹脂レンズとしている。このために、環境温度の変化に伴って発生する球面収差を補正する必要が生じる。このために、サーミスタ５によって温度を検出し、検出した温度に基づいてコリメートレンズ１５の位置を調整して球面収差を補正する構成となっている。各環境温度において球面収差を適切に補正できるコリメートレンズ位置に関する情報は、メモリ２２に記憶されている。このため、制御部２１は、メモリ２２に記憶される情報を用いて検出された環境温度におけるコリメートレンズ１５の適切な位置を決定し、コリメートレンズ１５の位置がその位置となるようにコリメートレンズ位置調整機構６を制御する。
【００３２】
なお、光ピックアップ装置１の環境温度を検出するために設けられるサーミスタ５は、スライドベース２上に配置されるプリント配線基板４（図１参照）上に実装されている。サーミスタ５は、本発明の温度検出手段の実施例であるが、本発明の温度検出手段はサーミスタに限らず、例えば熱電対等、他の構成に適宜変更して構わない。また、本発明の温度検出手段は対物レンズ１７の近傍の環境温度を検出できるのが好ましく、本実施形態の位置に限定されず適宜変更して構わない。
【００３３】
本実施形態の光ピックアップ装置１の概略構成は以上のようであるが、光ピックアップ装置１は環境温度の変化があっても適切に収差を補正できるようになっている点で特徴を有する。これについて、以下詳細に説明する。なお、説明に先立って以下で用いる用語の意味を、図５を参照して明確にしておく。
【００３４】
光ディスク７０の反りについて、図５に示すように、反りがないときを基準として、光ピックアップ装置１がある側（下側）に沿った場合をプラス（＋）、光ピックアップ装置１がない側（上側）に沿った場合をマイナス（−）とする。また、図５に示すように、光ピックアップ装置１は光ディスク７０を回転するスピンドルモータ（図示せず）のモータ軸７２よりも左側にあるものとして、光ディスク７０の内周側、外周側は図５に示すように定める。
【００３５】
上述のように、光ピックアップ装置１では対物レンズ１７を樹脂レンズとしているために、環境温度が変化すると球面収差の発生が問題となる。この点、上述のように、環境温度の変化に対応してコリメートレンズ１５の位置を移動して球面収差の補正を行うこととしている。
【００３６】
球面収差についてはコリメートレンズ１５の位置を調整することによって環境温度が変化しても適切に補正できるが、この他にコマ収差が発生するために、これについても収差の抑制を行う必要がある。光ピックアップ装置１において問題となるコマ収差について、以下説明する。
【００３７】
図６は、本実施形態の光ピックアップ装置１の構成に起因して発生するコマ収差について説明するための図で、環境温度とコマ収差発生量との関係を示すグラフである。図６においては、環境温度変化によって発生する球面収差を適切に補正すべく、コリメートレンズ１５が最適な位置に配置された状態でのコマ収差の発生量を示している。
【００３８】
なお、図６においては、対物レンズ１７が、コリメートレンズ１５からのレーザ光が対物レンズ１７へと至る光軸ＯＡ（図２参照）に対してチルト（傾斜）している場合と、チルトしていない場合を示している。また、対物レンズ１７がチルトしている場合においては、対物レンズ１７の傾斜方向は半径方向で、更に光ディスク７０の内周側向き（以下、この方向を単に半径方向の内周側と記載する）としている。
【００３９】
図６から判るように、対物レンズ１７がチルトしている場合には、コマ収差の発生量が環境温度の変化に対して、ほぼ一定の傾きを持って変動することがわかる。これは、対物レンズ１７がチルトした状態で、環境温度の変化に対応してコリメートレンズ１５の位置を変動させるからである。図６のような場合、特に高温或いは低温の場合に、コマ収差の発生が大きくなっている。このため、光ピックアップ装置１の情報の読み取り品質（再生品質）に影響を与えないように、コマ収差の補正が必要となる。
【００４０】
図７は、市販されるブルーレイディスク（ＢＤ）における環境温度と反り量の関係を示すグラフである。図７に示すように、環境温度が変化すると光ディスク７０の反り量が変化する。詳細には、特に２５℃よりも低温において、温度低下に伴うマイナス方向の反り量の低下量が大きくなっており、０℃ではプラス方向への反りに変化している。このような光ディスク７０について光ピックアップ装置を用いて情報の読み取り等を行う場合、環境温度の変化に伴う光ディスク７０の反り状態の変化によって発生量が変動するコマ収差の影響で、光ピックアップ装置１の再生品質が劣化する可能性が高い。したがって、このコマ収差についても補正が必要となる。
【００４１】
なお、図７は、市販される２種類のＢＤについて、環境温度変化に対する反り量の変化を調査した結果である。２種類のＢＤにおける環境温度の変化に対する反り量の変化については大きな差はない。
【００４２】
ここで、図６に示すコリメートレンズ１５の移動に伴って発生量が変動するコマ収差（以下、第１のコマ収差と表現する）は、対物レンズ１７の傾斜方向によって、環境温度変化に対するコマ収差の発生量の増減方向を変えられる。詳細には、対物レンズ１７の傾斜方向を、半径方向の内周側とするか外周側とするかによって、環境温度変化に対するコマ収差の発生量の増減方向を逆とできる。また、対物レンズ１７の傾斜量によってコマ収差の発生量を調整できる。
【００４３】
ところで、環境温度の変化に伴って光ディスク７０の反り状態が変化する（図７参照）ことによって発生量が変動するコマ収差（以下、第２のコマ収差と表現する）は半径方向に発生する。したがって、上述のように対物レンズ１７を半径方向に傾斜させ、且つ、環境温度変化に対するコマ収差の発生量の増減方向が第１のコマ収差と第２のコマ収差とで逆となるように対物レンズ１７の傾斜方向を決定すれば、使用環境温度の全域又はほぼ全域で、第１のコマ収差で第２のコマ収差をほぼ打ち消すことが可能となる。
【００４４】
なお、「ほぼ全域」との表現は、第１のコマ収差と第２のコマ収差とが打ち消し合う関係とならない場合があることを考慮するものである。また、「ほぼ打ち消す」との表現は、第１のコマ収差によって第２のコマ収差を完全に打ち消せない場合があることを考慮するものである。
【００４５】
より具体的には、まず、環境温度変化に対するコマ収差の発生量の増減方向が第１のコマ収差と第２のコマ収差とで逆となるように対物レンズ１７の傾斜方向を決定する。そして、使用環境温度範囲のできる限り広い範囲（好ましくは全域）で、第１のコマ収差と第２のコマ収差とがほぼ打ち消し合うように対物レンズ１７の傾斜調整を行う。傾斜調整は、例えば対物レンズ１７を保持する対物レンズアクチュエータ３を傾斜することによって行う。
【００４６】
また、この際、使用環境温度範囲のいずれの温度においても、第１のコマ収差と第２のコマ収差とを加算して得られる第３のコマ収差が所定の許容値を超えないようにする。これは、上述のように、第１のコマ収差と第２のコマ収差とが打ち消し合う関係となっても完全に打ち消し合わない場合があること、及び、第１のコマ収差と第２のコマ収差とがそもそも打ち消し合う関係とならない場合があることを考慮するものである。第１のコマ収差と第２のコマ収差を加算して得られる第３のコマ収差の発生量が大きくなりすぎると、光ピックアップ装置１の再生品質が劣化する。
【００４７】
このような意味で、所定の許容値は、光ピックアップ装置１の再生品質が許容範囲内となるように決定される。ただし、この所定の許容値は光ピックアップ装置の構成によってそれぞれ決まるものであり、その製造時に適宜設定される。例えば、光ピックアップ装置１が対物レンズ１７をチルトさせるチルト手段を有し、これによりコマ収差を補正できるような場合には、所定の許容値を大きくできる。
【００４８】
図８は、以上のように対物レンズ１７の傾斜調整が行われた光ピックアップ装置１における、環境温度と、光ディスク７０（図７に示す性質を有するもの）の再生時に発生するコマ収差の発生量と、の関係を示すグラフである。図８において、図６の場合に比べて高温時或いは低温時のコマ収差の発生量が低減され、いずれの環境温度でもコマ収差の発生量を低レベルに補正できていることがわかる。すなわち、本実施形態の光ピックアップ装置１では、環境温度が変化しても適切に収差を補正できている。
【００４９】
なお、以上に示した実施形態は本発明の一例であり、本発明は、以上に示した実施形態に限定される趣旨ではない。すなわち、本発明の目的を逸脱しない範囲で種々の変更が可能である。
【００５０】
例えば、以上に示した実施形態では、本発明における可動レンズがコリメートレンズである構成を示した。しかし、この構成に限定されない。例えば、環境温度の変動に対して発生する球面収差を補正するために例えばビームエキスパンダを用い、本発明における可動レンズがビームエキスパンダに備えられる可動レンズである構成としても良い。
【００５１】
また、本発明は、情報の読み取りや書き込みの対象がＢＤである光ピックアップ装置に好適に適用できるが、その他の種類の光ディスクに対応する光ピックアップ装置にも適用できるのは言うまでもない。
【産業上の利用可能性】
【００５２】
本発明は、光源からの光を光ディスクの情報記録面に集光する対物レンズが樹脂レンズで構成される光ピックアップ装置に好適に適用できる。
【図面の簡単な説明】
【００５３】
【図１】は、本実施形態の光ピックアップ装置の構成を示す概略平面図である。
【図２】は、本実施形態の光ピックアップ装置が備える光学系の構成を説明するための概略図である。
【図３】は、本実施形態の光ピックアップ装置が備えるコリメートレンズ位置調整機構の構成を示す概略平面図である。
【図４】は、本実施形態の光ピックアップ装置が備える対物レンズアクチュエータの構成を説明するための図である。
【図５】は、本実施形態の光ピックアップ装置とその周辺に配置される部材とを示す模式図である。
【図６】は、本実施形態の光ピックアップ装置の構成に起因して発生するコマ収差について説明するための図で、環境温度とコマ収差発生量との関係を示すグラフである。
【図７】は、市販されるブルーレイディスクにおける環境温度と反り量との関係を示すグラフである。
【図８】は、本実施形態の光ピックアップ装置を用いて図７に示す特性を有する光ディスクを再生する際に発生するコマ収差の発生量について環境温度との関係を示したグラフである。
【符号の説明】
【００５４】
１  光ピックアップ装置
５  サーミスタ（温度検出手段）
６  コリメートレンズ位置調整機構（レンズ位置調整手段）
１１  光源
１５  コリメートレンズ（可動レンズ）
１７  対物レンズ
７０  光ディスク
７０ａ  情報記録面
【図１】
2010092535.tif 000003
【図２】
2010092535.tif 000004
【図３】
2010092535.tif 000005
【図４】
2010092535.tif 000006
【図５】
2010092535.tif 000007
【図６】
2010092535.tif 000008
【図７】
2010092535.tif 000009
【図８】
2010092535.tif 000010